(57)【要約】【課題】制御装置でインジェクタ個々の正しい補正情報を確実に用いることができるコモンレール式燃料噴射システムを提供することを課題とする。【解決手段】複数の気筒２Ａ〜２Ｆを有するエンジン１に備えられ、制御装置１５による燃料噴射制御によってコモンレール１２に蓄えられた高圧燃料を気筒２Ａ〜２Ｆ毎に設けられたインジェクタ１３Ａ〜１３Ｆから噴射するコモンレール式燃料噴射システム１０であって、制御装置１５と複数のインジェクタ１３Ａ〜１３Ｆとをそれぞれ接続する複数の通信線１６を備え、インジェクタ１３Ａ〜１３Ｆは、噴射特性に応じて設定された補正情報を記憶する記憶部１３ａと、通信線１６を介して記憶部１３ａに記憶されている補正情報を制御装置１５に送信する通信部１３ｂとを有する。【選択図】図１
2016008516.tif 000002
【特許請求の範囲】
【請求項１】
複数の気筒を有するエンジンに備えられ、制御装置による燃料噴射制御によってコモンレールに蓄えられた高圧燃料を前記気筒毎に設けられたインジェクタから噴射するコモンレール式燃料噴射システムであって、
前記制御装置と複数の前記インジェクタとをそれぞれ接続する複数の通信線を備え、
前記インジェクタは、噴射特性に応じて設定された補正情報を記憶する記憶部と、前記通信線を介して前記記憶部に記憶されている前記補正情報を前記制御装置に送信する通信部とを有する、コモンレール式燃料噴射システム。
【請求項２】
前記補正情報は、前記噴射特性に応じて複数の設定圧力にそれぞれ設定された噴射量と噴射時間に関する情報との関係を示す補正情報である、請求項１に記載のコモンレール式燃料噴射システム。
【発明の詳細な説明】
【技術分野】
【０００１】
本発明は、コモンレール式燃料噴射システムに関する。
【背景技術】
【０００２】
コモンレール式燃料噴射システムでは、各気筒のインジェクタからコモンレール内に蓄えられている高圧燃料をそれぞれ噴射する。インジェクタは固有の噴射特性をそれぞれ持っており、同じコモンレール圧かつ同じ噴射時間で噴射した場合でもインジェクタ間で噴射量に差が発生するので、インジェクタ個々に噴射時間を補正する必要がある。特許文献１には、コモンレール式の燃料供給システムにおいて、コモンレール圧と指示燃料噴射量をベースとする噴射時間補正値マップにより噴射時間補正値を算出し、この噴射時間補正値を用いて燃料噴射を行うことが開示されている。
【先行技術文献】
【特許文献】
【０００３】
【特許文献１】特開２０１３−１０８４０３号公報
【発明の概要】
【発明が解決しようとする課題】
【０００４】
インジェクタには、噴射特性に応じて設定された補正情報を格納したコードがそれぞれ付与されている。インジェクタ個々にこのコードの補正情報が制御装置に書き込まれていないと、インジェクタ個々に噴射時間を高精度に補正ができない。特に、故障などでインジェクタを交換した場合、そのインジェクタのコードの補正情報を人が書き換える必要があるが、人による作業では書き換え忘れなどが発生する場合がある。この場合、制御装置では誤った補正情報を用いて補正を行うことになる。特許文献１には、噴射時間補正値マップの書き換えに関することは開示されていない。
【０００５】
そこで、本技術分野においては、制御装置でインジェクタ個々の正しい補正情報を確実に用いることができるコモンレール式燃料噴射システムが要請されている。
【課題を解決するための手段】
【０００６】
本発明の一側面に係るコモンレール式燃料噴射システムは、複数の気筒を有するエンジンに備えられ、制御装置による燃料噴射制御によってコモンレールに蓄えられた高圧燃料を気筒毎に設けられたインジェクタから噴射するコモンレール式燃料噴射システムであって、制御装置と複数のインジェクタとをそれぞれ接続する複数の通信線を備え、インジェクタは、噴射特性に応じて設定された補正情報を記憶する記憶部と、通信線を介して記憶部に記憶されている補正情報を制御装置に送信する通信部とを有する。
【０００７】
このコモンレール式燃料噴射システムでは、インジェクタ毎に記憶部に記憶されているインジェクタ個々の補正情報を制御装置に送信するので、制御装置でインジェクタ毎にインジェクタ個々の正しい補正情報を確実に用いて補正を行うことができる。この構成の場合、人による作業で補正情報の制御装置への書き込みや書き換えを行う必要がないので、制御装置において誤った補正情報を用いて補正を行うようなことは起こり得ない。
【０００８】
一実施形態のコモンレール式燃料噴射システムでは、補正情報は、噴射特性に応じて複数の設定圧力にそれぞれ設定された噴射量と噴射時間に関する情報との関係を示す補正情報である。このような補正情報を用いて補正することによって、インジェクタの噴射特性に応じて噴射時間を高精度に補正することができる。
【発明の効果】
【０００９】
本発明によれば、制御装置でインジェクタ個々の正しい補正情報を確実に用いることができる。
【図面の簡単な説明】
【００１０】
【図１】一実施形態に係るコモンレール式燃料噴射システムを備えたディーゼルエンジンの概略構成図である。
【図２】図１のインジェクタの記憶部に記憶されている各補正点設定圧力にそれぞれ設定された各補正点の一例である。
【発明を実施するための形態】
【００１１】
以下、図面を参照して、本発明の実施形態に係るコモンレール式燃料噴射システムを説明する。なお、各図において同一又は相当する要素については同一の符号を付し、重複する説明を省略する。
【００１２】
本実施形態では、本発明に係る制御装置を、車両用のディーゼルエンジンに備えられるコモンレール式燃料噴射システムに適用する。本実施形態に係るコモンレール式燃料噴射システムは、ディーゼルエンジンを制御する制御装置であるエンジンＥＣＵ[Electronic Control Unit]によって制御される。本実施形態では、インジェクタ個々にコードが付与されており、このコードはインジェクタ固有の噴射特性に応じて設定された補正情報を表すコードである。
【００１３】
まず、図１を参照して、ディーゼルエンジン１の構成について説明する。図１は、一実施形態に係るコモンレール式燃料噴射システムを備えたディーゼルエンジン１の概略構成図である。
【００１４】
ディーゼルエンジン１は、直列式６気筒のディーゼルエンジンであり、６個の気筒（第１気筒２Ａ，第２気筒２Ｂ、第３気筒２Ｃ、第４気筒２Ｄ、第５気筒２Ｅ、第６気筒２Ｆ）を備えている。各気筒２Ａ〜２Ｆ内には、ピストン３がそれぞれ収納されている。各ピストン３は、各気筒（各シリンダ）２Ａ〜２Ｆ内で往復運動する。各ピストン３の一端部には、クランクシャフト４が取り付けられている。クランクシャフト４は、各ピストン３の往復運動を回転運動に変換する。クランクシャフト４の一端部には、フライホイール５が取り付けられている。フライホイール５は、クランクシャフト４による回転運動のエネルギを蓄え、その回転運動エネルギを駆動輪（図示せず）に供給する。また、ディーゼルエンジン１は、各気筒２Ａ〜２Ｆ内に燃料を噴射するコモンレール式燃料噴射システム１０を備えている。なお、この実施形態では直列式６気筒のディーゼルエンジンとしているが、気筒の配置についてはＶ型式、水平対向式等の他の配置でもよいし、気筒数については４気筒等の他の気筒数でもよい。
【００１５】
ディーゼルエンジン１の吸入行程では、気筒２Ａ〜２Ｆ内でピストン３が下死点まで下がり、空気を吸い込む。圧縮行程では、気筒２Ａ〜２Ｆ内でピストン３が上死点まで上がり、空気を圧縮加熱する。膨張行程では、気筒２Ａ〜２Ｆ内の高温高圧の空気にコモンレール式燃料噴射システム１０によって燃料を噴射することによって自己発火し、膨張した燃焼ガスがピストン３を下死点まで押し下げる。排気行程では、気筒２Ａ〜２Ｆ内でフライホイール５の慣性や他の気筒での膨張などによりピストン３が上死点まで上がり、燃焼ガスを気筒２Ａ〜２Ｆ外に押し出す。このピストン３の上死点と下死点との往復運動がクランクシャフト４に伝わり、クランクシャフト４で往復運動を回転運動に変換する。
【００１６】
図１を参照して、コモンレール式燃料噴射システム１０について説明する。コモンレール式燃料噴射システム１０は、サプライポンプ１１、コモンレール１２、６個のインジェクタ（第１インジェクタ１３Ａ，第２インジェクタ１３Ｂ、第３インジェクタ１３Ｃ、第４インジェクタ１３Ｄ、第５インジェクタ１３Ｅ、第６インジェクタ１３Ｆ）を備えている。
【００１７】
サプライポンプ１１は、燃料タンク１４から燃料（軽油）をコモンレール１２に供給する高圧ポンプである。サプライポンプ１１は、燃料を加圧し、その高圧燃料をコモンレール１２に圧送する。サプライポンプ１１は、エンジンＥＣＵ１５によって制御され、燃料の加圧状態や供給量等が調整される。したがって、このエンジンＥＣＵ１５によるサプライポンプ１１に対する制御により、コモンレール１２内の圧力（以下、「コモンレール圧」と呼ぶ）も調整されることになる。
【００１８】
コモンレール１２は、サプライポンプ１１より圧送された高圧燃料を蓄える管状部材であり、直列に並ぶ６個の気筒２Ａ〜２Ｆに沿って延在している。コモンレール１２には、各気筒２Ａ〜２Ｆにそれぞれ対応する６個のインジェクタ１３Ａ〜１３Ｆが接続されており、各インジェクタ１３Ａ〜１３Ｆに高圧燃料をそれぞれ供給する。したがって、コモンレール圧が、各インジェクタ１３Ａ〜１３Ｆからの噴射圧力に相当する。
【００１９】
図１及び図２を参照して、インジェクタ１３Ａ〜１３Ｆについて説明する。図２は、インジェクタ１３Ａ〜１３Ｆの記憶部に記憶されている各補正点設定圧力にそれぞれ設定された各補正点の一例である。
【００２０】
各インジェクタ１３Ａ〜１３Ｆは、各気筒２Ａ〜２Ｆに設けられ、各気筒２Ａ〜２Ｆ内に燃料を霧状に噴射する装置である。各インジェクタ１３Ａ〜１３Ｆは、電子制御式インジェクタであり、電磁式バルブを有している。この電磁式バルブは、ノーマリクローズのバルブであり、電流が流されると（通電されると）開弁する。各インジェクタ１３Ａ〜１３Ｆは、エンジンＥＣＵ１５による制御（通電）に応じて電磁式バルブが開弁し、各気筒２Ａ〜２Ｆ内への燃料の噴射量が調整される。したがって、エンジンＥＣＵ１５による各インジェクタ１３Ａ〜１３Ｆへの通電時間が、各インジェクタ１３Ａ〜１３Ｆの燃料の噴射時間に相当する。上記したようにコモンレール圧が各インジェクタ１３Ａ〜１３Ｆの噴射圧力に相当するので、コモンレール圧とエンジンＥＣＵ１５による通電時間により各インジェクタ１３Ａ〜１３Ｆの燃料の噴射量が決まる。
【００２１】
なお、インジェクタ１３Ａ〜１３Ｆは、固有の噴射特性をそれぞれ持っている。そのため、６個のインジェクタ１３Ａ〜１３Ｆが同じコモンレール圧かつ同じ噴射時間で燃料をそれぞれ噴射した場合でも、６個のインジェクタ１３Ａ〜１３Ｆ間で噴射量に差が発生する。したがって、同じコモンレール圧で同じ目標噴射量の燃料を６個のインジェクタ１３Ａ〜１３Ｆからそれぞれ噴射させるためには、インジェクタ１３Ａ〜１３Ｆの噴射特性に応じて噴射時間（通電時間）をそれぞれ補正する必要がある。そのため、各インジェクタ１３Ａ〜１３Ｆには、この通電時間を補正するための情報が格納されるコードがそれぞれ付与されている。
【００２２】
このインジェクタ１３Ａ〜１３Ｆにそれぞれ付与されるコードについて説明する。コードは、二次元バーコードなどの所定容量の情報を格納できるコードであり、インジェクタ１３Ａ〜１３Ｆ個々の補正情報を格納している。この補正情報は、噴射量と通電時間との関係を示す補正点からなる情報である。補正点は、複数の予め決められたコモンレール圧（噴射圧力に相当）に応じてそれぞれ設定される。この補正点を設定するためのコモンレール圧を、以下では「補正点設定圧力」と呼ぶ。補正点設定圧力はインジェクタ１３Ａ〜１３Ｆで噴射可能な圧力の範囲内で複数設定される圧力であり、この各補正点設定圧力に対応して各補正点が設定される。補正点は、インジェクタ個々の噴射特性に応じて１つの補正点設定圧力に対して１点以上設定され、例えば、１つの補正点設定圧力に対して、大きな噴射量に対する補正点、微小の噴射量に対する補正点、その間の変曲点となる中程度の噴射量に対する補正点の３点の補正点が設定される。メイン噴射の他にプレ噴射やアフタ噴射等の多段噴射を行う場合、大噴射量の補正点や中噴射量の補正点がメイン噴射の通電時間の補正に用いられ、微小噴射量の補正点がプレ噴射やアフタ噴射の通電時間の補正に用いられる。なお、インジェクタ１３Ａ〜１３Ｆでノーマリクローズの電磁式バルブを用いているので、補正情報として噴射量と通電時間との関係を示す補正点としているが、この通電時間の代わりに噴射時間でもよい。
【００２３】
図２には、各補正点設定圧力に設定された各補正点の一例を示しており、横軸が通電時間［μｓ（秒）］であり、縦軸が［ｍｍ３／ｓｔ（ストローク）］である。この例の場合、２つの補正点設定圧力Ｐ１、Ｐ２があり、補正点設定圧力Ｐ１が補正点設定圧力Ｐ２よりも低い。補正点設定圧力Ｐ１に対しては、大噴射量の補正点ＲＢ１、中噴射量の補正点ＲＭ１、微小噴射量の補正点ＲＬ１が設定されている。補正点設定圧力Ｐ２に対しては、大噴射量の補正点ＲＢ２、中噴射量の補正点ＲＭ２、微小噴射量の補正点ＲＬ２が設定されている。この図２に示す例は一例であり、３つ以上の補正点設定圧力があってもよいし、また、変曲点がない場合には補正点設定圧力に対して補正点が１点あるいは２点だけ設定されてもいし、変曲点が複数ある場合には補正点設定圧力に対して補正点が４点以上設定されてもよい。
【００２４】
各インジェクタ１３Ａ〜１３Ｆは、インジェクタ内に記憶部１３ａと通信部１３ｂを有している。この実施形態では、記憶部１３ａが特許請求の範囲に記載の記憶部に相当し、通信部１３ｂが特許請求の範囲に記載の通信部に相当する。
【００２５】
記憶部１３ａは、インジェクタのコードに格納される補正情報（複数の補正点設定圧力にそれぞれ設定された噴射量と通電時間との関係を示す補正点）を記憶する記憶部である。記憶部１３ａは、例えば、情報の書き込み及び読み出しが可能であり、書き込まれた情報を記憶する情報記憶回路で構成される。この情報記憶回路は、例えば、ＩＣ[Integrated Circuit]チップからなる。記憶部１３ａは、インジェクタの出荷前にインジェクタのコードにより補正情報が予め書き込まれ、その補正情報を記憶している。
【００２６】
通信部１３ｂは、通信線１６を介してエンジンＥＣＵ１５に情報を送信する通信部である。この通信部１３ｂは、エンジンＥＣＵ１５からの情報を受信することも可能なものでもよい。通信部１３ｂは、例えば、通信ドライバや通信回路で構成される。この通信ドライバや通信回路は、例えば、上記した記憶部１３ａが構成されるＩＣチップに一体で構成されるとよい。このように、１つのＩＣチップで記憶部１３ａと通信部１３ｂを構成することによって、インジェクタ１３Ａ〜１３Ｆを小型化できる。通信部１３ｂでは、イグニッションスイッチがＯＮしてエンジンＥＣＵ１５が稼働すると、記憶部１３ａに記憶されている補正情報をエンジンＥＣＵ１５に通信線１６を介して送信する。この送信は、インジェクタ１３Ａ〜１３Ｆ側から自発的に行ってもよいし、あるいは、エンジンＥＣＵ１５からの要求に応じて行ってもよい。
【００２７】
なお、イグニッションスイッチがＯＦＦしている間に、６個のインジェクタ１３Ａ〜１３Ｆのうちの任意のインジェクタが故障等により交換される可能性がある。しかし、イグニッションスイッチがＯＮしている間は、インジェクタが交換される可能性はない。したがって、各インジェクタ１３Ａ〜１３ＦからエンジンＥＣＵ１５への補正情報の送信については、イグニッションスイッチがＯＮしてからＯＦＦするまでの間に、最初の燃料噴射制御が開始される前に少なくとも１回行えばよい。
【００２８】
通信線１６は、インジェクタ１３Ａ〜１３Ｆ毎に設けられ、各インジェクタ１３Ａ〜１３ＦとエンジンＥＣＵ１５とをそれぞれ接続する通信線である。このインジェクタ１３Ａ〜１３Ｆ毎の通信線１６は、エンジンＥＣＵ１５とインジェクタ１３Ａ〜１３Ｆとの間に配線されるワイヤハーネス１７内に含まれている。この実施形態では、通信線１６が特許請求の範囲に記載の通信線に相当する。なお、エンジンＥＣＵ１５から各インジェクタ１３Ａ〜１３Ｆへの通電用に、各インジェクタ１３Ａ〜１３ＦとエンジンＥＣＵ１５とをそれぞれ接続する通電線（図示せず）も設けられている。
【００２９】
エンジンＥＣＵ１５について説明する。エンジンＥＣＵ１５は、ＣＰＵ[CentralProcessing Unit]、ＲＯＭ[Read Only Memory]、ＲＡＭ[Random Access Memory]などからなり、ディーゼルエンジン１を統括制御する電子制御装置である。ここでは、エンジンＥＣＵ１５の１つの機能であるコモンレール式燃料噴射システム１０に対する処理についてのみ説明する。この実施形態では、エンジンＥＣＵ１５が特許請求の範囲に記載の制御装置に相当する。
【００３０】
エンジンＥＣＵ１５では、イグニッションスイッチがＯＮして稼働すると、各インジェクタ１３Ａ〜１３Ｆからそれぞれ送信された補正情報を各通信線１６を介してそれぞれ受信する。この補正情報の受信については、エンジンＥＣＵ１５内のＲＡＭ等の一部にインジェクタ１３Ａ〜１３Ｆ毎の補正情報を記憶する領域が確保されている場合、最初の燃料噴射制御を行う前に少なくとも一度だけ受信すればよい。この場合、その確保された領域に受信したインジェクタ１３Ａ〜１３Ｆ毎の補正情報を記憶しておき、燃料噴射制御を行う毎に補正に必要な補正情報を読み出す。ＲＡＭ等にこのような領域が確保されていない場合、インジェクタ１３Ａ〜１３Ｆとの間で常時通信し、燃料噴射制御を行う毎に必要な補正情報を受信すればよい。いずれの場合も、各インジェクタ１３Ａ〜１３Ｆにそれぞれ付与されたコードの補正制御を用いて、以下で説明する燃料噴射制御における各インジェクタ１３Ａ〜１３Ｆについての通電時間の補正を行うことができる。なお、エンジンＥＣＵ１５は、インジェクタ１３Ａ〜１３Ｆ等と通信するための通信ドライバや通信回路を備えている。
【００３１】
燃料噴射制御について説明する。エンジンＥＣＵ１５では、車両の運転状態とコモンレール圧との関係を示すマップを参照して、車両の現在の運転状態に応じた目標コモンレール圧を設定する。そして、エンジンＥＣＵ１５では、コモンレール１２内の圧力が目標コモンレール圧になるように、サプライポンプ１１を制御する。
【００３２】
エンジンＥＣＵ１５では、車両の運転状態とマスタインジェクタの噴射量との関係を示すマップを参照して、車両の現在の運転状態に応じたマスタインジェクタの目標噴射量を取得する。さらに、エンジンＥＣＵ１５は、各コモンレール圧に対するマスタインジェクタの噴射量と通電時間との関係を示すマップを参照して、現在のコモンレール圧（目標コモンレール圧または目標コモンレール圧近傍の圧力）で目標噴射量の燃料を噴射するために必要なマスタインジェクタの通電時間を取得する。なお、マスタインジェクタは、実際に組み付けられるインジェクタ１３Ａ〜１３Ｆの基準となる仮想のインジェクタである。各インジェクタ１３Ａ〜１３Ｆの補正量は、マスタインジェクタに対して設定される通電時間に対して長くする時間あるいは短くする時間が補正量となる。車両の運転状態は、エンジン回転数、アクセル開度に応じたエンジン負荷などから判断できる。
【００３３】
エンジンＥＣＵ１５では、インジェクタ１３Ａ〜１３Ｆ毎に、該当するインジェクタから送信された補正情報を用いて、補正点設定圧力に設定された各補正点から現在のコモンレール圧で目標噴射量の燃料を噴射するために必要なインジェクタの通電時間を取得する。例えば、現在のコモンレール圧に一致する補正点設定圧力がある場合、その補正点設定圧力に設定された補正点から目標噴射量を挟む２点の補正点（１点の補正点の場合もある）を抽出し、その抽出した２点の補正点からインジェクタの通電時間を算出する。また、現在のコモンレール圧に一致する補正点設定圧力がない場合、現在のコモンレール圧を挟む２つの補正点設定圧力を選択し、その各補正点設定圧力に設定された補正点から目標噴射量を挟む２点の補正点（１点の補正点の場合もある）をそれぞれ抽出し、その抽出した計４点（計３点又は計２点の場合もある）の補正点を用いてインジェクタの通電時間を算出する。各インジェクタ１３Ａ〜１３Ｆの通電時間とマスタインジェクタの通電時間との時間差が、各インジェクタ１３Ａ〜１３Ｆの通電時間の補正量に相当する。エンジンＥＣＵ１５では、各インジェクタ１３Ａ〜１３Ｆの噴射タイミングに応じて、各インジェクタ１３Ａ〜１３Ｆの通電時間の間、各インジェクタ１３Ａ〜１３Ｆに電流を順次供給する。
【００３４】
以上説明したコモンレール式燃料噴射システム１０によれば、インジェクタ１３Ａ〜１３Ｆ毎に記憶部１３ａを有し、記憶部１３ａに記憶されている補正情報（インジェクタのコード）をエンジンＥＣＵ１５に送信することにより、エンジンＥＣＵ１５でインジェクタ１３Ａ〜１３Ｆ毎にインジェクタ個々の正しい補正情報を確実に用いて補正を行うことができる。この構成の場合、人による作業で補正情報のエンジンＥＣＵ１５への書き込みや書き換えを行う必要がないので、エンジンＥＣＵ１５において誤った補正情報を用いて補正を行うようなことは起こり得ない。したがって、故障などでインジェクタが交換された場合でも、交換されたインジェクタを含む全てのインジェクタ１３Ａ〜１３Ｆについて通電時間（噴射時間）を高精度に補正することができる。
【００３５】
また、コモンレール式燃料噴射システム１０によれば、補正情報としては噴射特性に応じて複数の補正点設定圧力にそれぞれ設定された噴射量と通電時間との関係を示す補正点とし、この補正点を用いて通電時間を補正することによって、インジェクタ固有の噴射特性に応じて通電時間を高精度に補正することができる。
【００３６】
なお、インジェクタ毎に制御装置に情報を送信できる通信機能がある場合、インジェクタ毎にセンサ（例えば、インジェクタの噴射圧力を検出するセンサ）を設け、そのセンサで検出した検出値を制御装置に送信し、制御装置でインジェクタ毎のセンサの検出値を用いて燃料噴射制御を行うことも考えられる。この構成の場合、噴射圧力等を検出するためにセンサの検出素子や検出回路等をインジェクタ内部に設ける必要があり、インジェクタが大型化する。そのため、インジェクタが取り付けられるシリンダヘッド周辺に大きな搭載スペースを確保する必要がある。また、インジェクタにセンサを設けた場合、センサの故障やセンサの誤検出による燃料噴射制御への影響等の問題もある。ちなみに、全てのインジェクタから狙い通り噴射量の燃料を噴射させるためには、インジェクタ固有の噴射特性から設定された補正情報を用いて噴射時間（通電時間）を補正するだけで十分な性能が得られるので、インジェクタ個々に検出された噴射圧力等によってフィードバック制御等を行う必要はないと考えられる。
【００３７】
以上、本発明の実施形態について説明したが、上記実施形態に限定されることなく様々な形態で実施される。
【００３８】
例えば、上記実施形態ではインジェクタ固有の噴射特性に応じた設定された補正情報として、複数の補正点設定圧力にそれぞれ設定された噴射量と通電時間との関係を示す補正点としたが、各補正点設定圧力にそれぞれ設定された噴射量と通電時間との関係を示す補正曲線あるいは補正直線等の他の補正情報でもよい。補正曲線や補正直線を用いて補正を行う場合には、より高精度な補正を行うことができる。
【００３９】
また、上記実施形態ではインジェクタ個々に付与されるコードに各補正点設定圧力にそれぞれ設定された各補正点が格納され、そのコードの情報がインジェクタの記憶部に記憶される構成としたが、コード以外ものを用いてもよく、例えば、ＩＣチップメモリに各補正点設定圧力にそれぞれ設定された各補正点を記憶させ、ＩＣチップメモリを用いてインジェクタの記憶部に書き込む。ＩＣチップメモリを用いた場合、より多くの情報量の補正情報を書き込むことが可能となる。また、インジェクタ毎の補正情報をコンピュータに格納し、コンピュータから各インジェクタの記憶部にそれぞれ書き込むようにしてもよい。この場合、インジェクタ毎のコードやＩＣチップメモリ等が不要となる。
【００４０】
また、上記実施形態では電磁弁を含むインジェクタ本体内に記憶部や通信部を設ける構成としたが、記憶部と通信部のうちの少なくとも一つをインジェクタ本体外に設け、そのインジェクタ本体外に設けられたものとインジェクタ本体とを通信線で接続する構成としてもよい。このように構成した場合、インジェクタ本体を小型化できるので、スペースに余裕がないシリンダヘッド周辺におけるインジェクタ本体の搭載スペースを縮小化できる。そして、インジェクタ本体外に設けられる記憶部又は／及び通信部をエンジンルーム内のスペースに余裕のある箇所に配置できる。
【符号の説明】
【００４１】
１…ディーゼルエンジン、２Ａ…第１気筒、２Ｂ…第２気筒、２Ｃ…第３気筒、２Ｄ…第４気筒、２Ｅ…第５気筒、２Ｆ…第６気筒、３…ピストン、４…クランクシャフト、５…フライホイール、１０…コモンレール式燃料噴射システム、１１…サプライポンプ、１２…コモンレール、１３Ａ…第１インジェクタ，１３Ｂ…第２インジェクタ、１３Ｃ…第３インジェクタ、１３Ｄ…第４インジェクタ、１３Ｅ…第５インジェクタ、１３Ｆ…第６インジェクタ、１３ａ…記憶部、１３ｂ…通信部、１４…燃料タンク、１５…エンジンＥＣＵ、１６…通信線、１７…ワイヤハーネス。
【図１】
2016008516.tif 000003
【図２】
2016008516.tif 000004